(57)【要約】【課題】ＺｉｇＢｅｅ無線を利用することにより、混信に強く、複数の装置をマルチホップ機能で通信することで遠距離な通信を可能とし、被災した作業員からの転倒により発生する緊急情報などで、他の作業員のヘルメットに打音を発生させ騒音環境下においても確実に通知することができる。【解決手段】作業員Ａのヘルメット２ａに情報伝達装置１０ａが装着されている。作業員Ａが転倒などして加速度センサにより衝撃が検知され、ＳＯＳ信号が送信されると、マルチホッピング通信により作業員Ｂに受信される。作業員ＢではＳＯＳ信号によりヘルメット２ｂに打音が発生し、騒音環境下でも作業員Ｂは知ることができる。情報伝達装置１０ｂは情報伝達装置１０ａからの緊急情報を中継する。したがって作業員Ａから見れば圏外の作業員Ｃにも転倒した情報が伝わり、同様に打音が発生する。【選択図】図１
2014153876.tif 000002
【特許請求の範囲】
【請求項１】
各作業員のヘルメットにそれぞれ装着される情報伝達装置によって構成される情報伝達システムであって、
各情報伝達装置は、
マルチホッピング通信方式の通信装置と、
手動により緊急信号を送出する緊急スイッチと、
他の情報伝達装置から緊急信号を受信したとき、ヘルメットに打音を発生させる打音発生装置と、
衝撃を検知する加速度センサと、
を備え、
前記加速度センサが衝撃を検知した場合、または、緊急スイッチが押された場合、前記通信装置により、緊急状態を通知する情報を発信し、他の情報伝達装置から前記緊急状態を通知する情報を受信したとき、情報伝達装置毎に打音発生装置でヘルメットに打音を発生させ、かつ前記緊急状態を通知する情報を受信した情報伝達装置はマルチホッピング通信でさらに他の情報伝達装置に中継することを特徴とする騒音環境下における作業者間情報伝達システム。
【請求項２】
前記打音発生装置は、情報伝達装置内に作動時にプッシュピンを突出するソレノイドを有し、プッシュピンによりヘルメットを叩くことを特徴とする請求項１記載の騒音環境下における作業者間情報伝達システム。
【請求項３】
前記加速度センサで衝撃を検知した場合、所定時間を経過しても復帰操作がなされないとき、緊急状態を通知する情報を発信することを特徴とする請求項１または２記載の騒音環境下における作業者間情報伝達システム。
【請求項４】
各情報伝達装置は作業員を識別するＩＤを有し、
前記緊急状態を通知する信号を発信したとき、該緊急状態を通知する信号にＩＤ情報を重畳させ、
緊急状態を通知する信号を受信した情報伝達装置の打音は緊急状態を通知する情報伝達装置を識別するＩＤ情報対応の打音パターンで発生させることを特徴とする請求項１，２または３記載の騒音環境下における作業者間情報伝達システム。
【請求項５】
各情報伝達装置は作業員を識別するＩＤを有し、
前記緊急状態を通知する信号を発信したとき、該緊急状態を通知する信号にＩＤ情報を重畳させ、
緊急状態を通知する信号を受信した情報伝達装置の表示部に緊急状態を通知した情報伝達装置のＩＤ情報を表示可能に構成したことを特徴とする請求項１，２，３または４記載の騒音環境下における作業者間情報伝達システム。
【請求項６】
ブザーを発生させるブザー発生装置を有し、
前記緊急スイッチが押された場合、前記ブザーを鳴動させるように構成され、
前記ブザーが鳴動したとき、該ブザーを停止させる操作手段を備え、
該操作手段により緊急スイッチの動作をキャンセルすることを特徴とする請求項１，２，３，４または５記載の騒音環境下における作業者間情報伝達システム。
【請求項７】
前記操作手段は緊急スイッチが押されてから所定時間内に長押しすることによりブザーを停止させ緊急スイッチの動作をキャンセルすることを特徴とする請求項６記載の騒音環境下における作業者間情報伝達システム。
【請求項８】
前記情報伝達装置はＢｌｕｅｔｏｏｔｈ機能を有し、スマートフォンと該Ｂｌｕｅｔｏｏｔｈ機能により通信可能にすることにより、スマートフォンの画面操作で、前記情報伝達装置の機能を制御することを特徴とする請求項１，２，３，４，５，６または７記載の騒音環境下における作業者間情報伝達システム。
【請求項９】
前記ヘルメット内部に温度センサを搭載し、前記スマートフォンと通信可能として温度情報を記録することにより、所定の温度に達したとき、他の情報伝達装置に自動的に通知するか、または作業員自身の情報伝達装置から警告を発することを特徴とする請求項８記載の騒音環境下における作業者間情報伝達システム。
【請求項１０】
マルチホッピング通信方式の通信装置と、
手動により緊急信号を送出する緊急スイッチと、
他の情報伝達装置から緊急信号を受信したとき、ヘルメットに打音を発生させる打音発生装置と、
衝撃を検知する加速度センサと、
を備え、
前記加速度センサが衝撃を検知した場合、または、緊急スイッチが押された場合、前記通信装置により、緊急状態を通知する情報を発信し、他の情報伝達装置から前記緊急状態を通知する情報を受信したとき、打音発生装置でヘルメットに打音を発生させ、かつマルチホッピング通信でさらに他の情報伝達装置に中継することを特徴とする騒音環境下における作業者間情報伝達装置。
【請求項１１】
前記加速度センサで衝撃を検知した場合、所定時間を経過しても復帰操作がなされないとき、緊急状態を通知する情報を発信することを特徴とする請求項１０記載の騒音環境下における作業者間情報伝達装置。
【請求項１２】
各情報伝達装置は作業員を識別するＩＤを有し、
前記緊急状態を通知する信号を発信したとき、該緊急状態を通知する信号にＩＤ情報を重畳させ、
前記打音発生装置は、緊急状態を通知する信号を受信した情報伝達装置の打音を緊急状態を通知する情報伝達装置を識別するＩＤ情報対応の打音パターンで発生させ、
緊急状態を通知した情報伝達装置のＩＤ情報を表示する表示部を備えたことを特徴とする請求項１０または１１記載の作業者間情報伝達装置。
【請求項１３】
各作業員のヘルメットにそれぞれ装着される情報伝達装置によって構成されるシステムの情報を伝達する方法であって、
任意の情報伝達装置は加速度センサが衝撃を検知した場合、または、緊急スイッチが押された場合、緊急状態を通知する情報を発信し、
他の情報伝達装置は前記緊急状態を通知する情報を受信したとき、情報伝達装置毎に打音発生装置でヘルメットに打音を発生させ、
該打音のパターンは前記緊急状態を通知する情報伝達装置を識別するＩＤに対応の打音のパターンであり、
かつマルチホッピング通信によりさらに他の情報伝達装置に中継を行い、
前記ＩＤを表示可能にしたことを特徴とする騒音環境下における作業者間情報伝達方法。
【発明の詳細な説明】
【技術分野】
【０００１】
本発明は、森林作業現場などにおける安心・安全を提供できる作業者間情報伝達システム，作業者間情報伝達装置および該装置を用いた伝達方法に関する。
【背景技術】
【０００２】
従来の森林作業員の通信装置として簡易無線機（免許不要なトランシーバ）などが利用されている。しかしながら、送信出力が弱い（送信出力が大きな無線機は無線従事者免許が必要）ので、遠方との通信は不可能であり、受信できても作業中のチェンソーや草刈機のエンジンの爆音で「助けを求める声」も打ち消され受信に気がつかないなどの弱点がある。また、山間部では遠くの外来電波を受信し、混信することもある。
【０００３】
森林作業に従事するに当たっては、十分な安全を確保した環境下で作業することができない状況のため、大きな事故が発生し死亡事故に繋がることが多い。
そのため、作業員が事故に遭遇した場合、早急に他の作業員に連絡をして助けを求めることが必須である。
作業員は出力の大きい無線機を携帯することは不可能であり、送信出力の小さい簡易無線機を持っていて近くに他の作業員がいたとしても、被災した作業員が簡易無線機を操作できない状況（例えば、事故によって作業員自身、無線機の操作ができない状態など）になっては、連絡することができない。連絡できたとしても、他の作業員が騒音環境下で作業中では、通信による音声や音は、気づかない場合がある。
【０００４】
このような状況において、森林作業現場で作業員が被災した場合、確実に他の作業員や作業本部などに連絡ができるシステムの構築が要請される。
本件発明者は、このような要請に基づき被災した作業員を特定して確実に他の作業員に被災した情報を伝達することができるシステム，装置を発明した。
【先行技術文献】
【特許文献】
【０００５】
【特許文献１】特開２００７−７２８０２号公報
【特許文献２】特開２０１３−３８１５号公報
【特許文献３】特開２０１３−３１１号公報
【特許文献４】特開２０１２−６４１８１号公報
【特許文献５】特表２００８−５３５０５５号公報
【特許文献６】特開２００６−２０２２１号公報
【特許文献７】特開２００１−２０２５９０号公報
【発明の概要】
【発明が解決しようとする課題】
【０００６】
ここで、本発明によるシステムの一部に近い構成要素を有していると考えられる先行文献が何件か見い出された。
特許文献１はカメラ付きヘルメットのカメラが撮影した画像情報を基地局に通信する情報通信システムを提案するもので、その特徴はカメラ付きヘルメットと携帯可能なセンサユニットを融合させることにより融通性や展開性で優れた情報通信システムを提供しようとするものである。このシステムでは作業現場において広範囲に分散配置された多数のボール型センサユニットから、各センサ検出情報がボール型センサユニット同士或いはカメラ付きヘルメットの通信機能が中継しながら基地局に送信されるように構成されている。このシステムは各ボール型センサユニット間，カメラ付きヘルメットによる中継通信ができるものであるが、送信する情報は、ボール型センサユニットが得たセンサ検出情報であり、この情報を携帯電話，消防署，本部などに送信するものである。よって、その構成の一部を利用しても本発明の目的を解決するようなシステムを構築することはできない。
【０００７】
特許文献２は屋内外の異常を検出する方式であって、計測領域が広く、計測精度も高く、省電力性および携帯性に優れ、緊急時の対応性も十分に得られる方式として提案されている。転倒検出装置が検出対象者に携帯もしくは装着されて具備されており、検出対象者の歩行等の運動に基づき加速度を検出するように構成されている。加速度検出により検出対象者の異常を検知し、その情報を中継機を介してネットワークシステムに送るものである。ネットワークに送られた情報は動作検出サービス利用者側端末に通知される。その情報は音声や情報表示部の表示により通知されるものであるが、通知される端末側の付近で騒音や振動が生じている騒音環境下を想定していないため、その構成要素の一部を用いても、本発明が目的とするシステムを構成することはできない。
特許文献３は、高齢者などの検出対象者における転倒発生を検出・通報可能にするとともに、平常時から日常生活を見守る機能を備えた動作検出装置を提供するものである。構成は、検出対象者に携帯もしくは装着されている３軸加速度センサが、加速度検出により検出対象者の異常を検知し、その情報を中継機を介してネットワークシステムに送るものである。特許文献２と同様に、ネットワークに送られた情報は動作検出サービス利用者側端末に音声や情報表示部の表示により通知されるものであるが、通知される端末側の付近で騒音や振動が生じている騒音環境下を想定していないため、その構成要素の一部を用いても、本発明が目的とするシステムを構成することはできない。
【０００８】
特許文献４は、設計の自由度の高いセンサネットワークを構成できるセンサ内蔵無線通信デバイスを提供するもので、センサ内蔵無線通信デバイスはセンサ部において施設内で災害が発生した際などの外部環境をセンシングして災害内容を検出する各種センサが用いられているものである。検出対象が火災，ガス漏れ，水漏れ，犯罪または事故など緊急避難すべき外部環境の変化を検出するものである。センサ内蔵無線通信デバイス間はマルチホッピング通信方式により中継できるようになっているが、人などの直接的な被災を対象としておらず、また、騒音環境下での他の端末にその状況を伝達する構成要素は存在しないので、その構成要素の一部を用いても騒音環境下における作業者の被災の検出，その情報を他の作業者に確実に伝達するシステムを構築することはできない。
特許文献５は人間の身体の転倒検出用のシステムを提供するものである。転倒検出用システムは監視装置を含み、監視装置は複数の加速度計と、プロセッサおよび無線送信機を備えている。複数の加速度計はプロセッサに加速度測定値を提供し、加速度測定値は監視装置を装着する人の全方向における現在の加速度を記述し、プロセッサは測定した加速度から装着者が転倒事象を経験しているか否かを判定するようになっている。このシステムは転倒事象を検出し、さらに装着者に運動がないことを検出することにより、意識を失っている装着者を検出するものであり、装着者が転倒して動けない状態にあることを検出することに特徴があるシステムである。プロセッサは転倒事象の検出に応答して信号を生成し、送信機がリモート信号受信機に信号を送信するように構成されている。したがってこのような構成要素の一部を用いてもチェンソーなどの騒音環境下における作業者の被災を検出し、同様に騒音環境下にある他の作業者にそれを確実に知らせるシステムには使うことができない。
【０００９】
特許文献６は直接電磁波が届く無線装置を中継（マルチホッピング）することにより直接電磁波の届かない無線装置間のデータ伝送を可能とするアドホックネットワークにおいて、通信ルートの変更の頻度をできるだけ少なくするシステムを提供するものである。解決策として通信ルートを選ぶ際に、電源がオフされにくい無線装置や、移動されにくい無線装置をできるだけ含む通信ルートを選ぶ構成である。マルチホッピングを利用して遠くまで情報を中継送信する構成であるが、本発明が対象とする構成の一部が開示されているのみで、本発明を構成する騒音環境下における作業者間情報伝達システムに関する内容の開示はない。
特許文献７は、無線通信方式ではなく、音声案内を行わずに、より詳細な情報を視覚障害者に与え、安全に誘導することができる視覚障害者用誘導装置を提供するもので、回転車輪を有する台車本体と、台車本体に取り付けられたポール部と、ポール部に設けられたグリップ部と、障害物を検知する障害物検出装置と、グリップ部に設けられ障害物検出装置の出力に応じて振動状態を変化させる振動部とを備え、振動部は独立して動作する複数の振動アクチュエータを有し、振動アクチュエータの振動状況を変化させて伝達する情報を変化させるものである。振動アクチュエータを振動させることにより障害があることを視覚障害者に知らせる構成は、音などに頼らないもので、騒音環境下において受信者にその状況を確実に知らせる構成に類似しているものである。しかしながら、そのシステム構成および目的は、本発明とは全く異なるものである。
上記特許文献１〜７については、本発明の主旨である、作業員が被るヘルメットに装着される情報伝達装置に転倒を検出する加速度を具備し、他の作業員の情報伝達装置にその情報をヘルメットを打音することにより、確実に作業員の被災を知らせ、この情報をさらに他の作業員に同様にヘルメットを打音して知らせるようなシステムの開示はなく、また、それらを示唆するような記述も存在しない。
【００１０】
本発明の目的は、ディジタル通信技術のＺｉｇＢｅｅ（登録商標  以下同様）無線を利用することにより、混信に強く、複数の装置をマルチホップ機能で通信することで遠距離な通信を可能とし、被災した作業員からの転倒により発生する緊急情報などで、他の作業員のヘルメットに打音を発生させ騒音環境下においても確実に通知することができる騒音環境下における作業者間情報伝達システム，作業者間情報伝達装置および該装置を用いた伝達方法を提供することにある。
【課題を解決するための手段】
【００１１】
前記目的を達成するために本発明による請求項１記載の騒音環境下における作業者間情報伝達システムの発明は、各作業員のヘルメットにそれぞれ装着される情報伝達装置によって構成される情報伝達システムであって、各情報伝達装置は、マルチホッピング通信方式の通信装置と、手動により緊急信号を送出する緊急スイッチと、他の情報伝達装置から緊急信号を受信したとき、ヘルメットに打音を発生させる打音発生装置と、衝撃を検知する加速度センサとを備え、前記加速度センサが衝撃を検知した場合、または、緊急スイッチが押された場合、前記通信装置により、緊急状態を通知する情報を発信し、他の情報伝達装置から前記緊急状態を通知する情報を受信したとき、情報伝達装置毎に打音発生装置でヘルメットに打音を発生させ、かつ前記緊急状態を通知する情報を受信した情報伝達装置はマルチホッピング通信でさらに他の情報伝達装置に中継することを特徴とする。
本発明による請求項２記載の発明は、請求項１記載の発明において前記打音発生装置は、情報伝達装置内に作動時にプッシュピンを突出するソレノイドを有し、プッシュピンによりヘルメットを叩くことを特徴とする。
本発明による請求項３記載の発明は、請求項１または２記載の発明において前記加速度センサで衝撃を検知した場合、所定時間を経過しても復帰操作がなされないとき、緊急状態を通知する情報を発信することを特徴とする。
本発明による請求項４記載の発明は、請求項１，２または３記載の発明において各情報伝達装置は作業員を識別するＩＤを有し、前記緊急状態を通知する信号を発信したとき、該緊急状態を通知する信号にＩＤ情報を重畳させ、緊急状態を通知する信号を受信した情報伝達装置の打音は緊急状態を通知する情報伝達装置を識別するＩＤ情報対応の打音パターンで発生させることを特徴とする。
本発明による請求項５記載の発明は、請求項１，２，３または４記載の発明において各情報伝達装置は作業員を識別するＩＤを有し、前記緊急状態を通知する信号を発信したとき、該緊急状態を通知する信号にＩＤ情報を重畳させ、緊急状態を通知する信号を受信した情報伝達装置の表示部に緊急状態を通知した情報伝達装置のＩＤ情報を表示可能に構成したことを特徴とする。
本発明による請求項６記載の発明は、請求項１，２，３，４または５記載の発明においてブザーを発生させるブザー発生装置を有し、前記緊急スイッチが押された場合、前記ブザーを鳴動させるように構成され、前記ブザーが鳴動したとき、該ブザーを停止させる操作手段を備え、該操作手段により緊急スイッチの動作をキャンセルすることを特徴とする。
本発明による請求項７記載の発明は、請求項６記載の発明において前記操作手段は緊急スイッチが押されてから所定時間内に長押しすることによりブザーを停止させ緊急スイッチの動作をキャンセルすることを特徴とする。
本発明による請求項８の発明は、請求項１，２，３，４，５，６または７記載の発明において前記情報伝達装置はＢｌｕｅｔｏｏｔｈ（登録商標  以下同様）機能を有し、スマートフォンと該Ｂｌｕｅｔｏｏｔｈ機能により通信可能にすることにより、スマートフォンの画面操作で、前記情報伝達装置の機能を制御することを特徴とする。
本発明による請求項９の発明は、請求項８記載の発明において前記ヘルメット内部に温度センサを搭載し、前記スマートフォンと通信可能として温度情報を記録することにより、所定の温度に達したとき、他の情報伝達装置に自動的に通知するか、または作業員自身の情報伝達装置から警告を発することを特徴とする。
本発明による請求項１０記載の騒音環境下における作業者間情報伝達装置の発明は、マルチホッピング通信方式の通信装置と、手動により緊急信号を送出する緊急スイッチと、他の情報伝達装置から緊急信号を受信したとき、ヘルメットに打音を発生させる打音発生装置と、衝撃を検知する加速度センサとを備え、前記加速度センサが衝撃を検知した場合、または、緊急スイッチが押された場合、前記通信装置により、緊急状態を通知する情報を発信し、他の情報伝達装置から前記緊急状態を通知する情報を受信したとき、打音発生装置でヘルメットに打音を発生させ、かつマルチホッピング通信でさらに他の情報伝達装置に中継することを特徴とする。
本発明による請求項１１記載の発明は、請求項１０記載の発明において前記加速度センサで衝撃を検知した場合、所定時間を経過しても復帰操作がなされないとき、緊急状態を通知する情報を発信することを特徴とする。
本発明による請求項１２記載の発明は、請求項１０または１１記載の発明において各情報伝達装置は作業員を識別するＩＤを有し、前記緊急状態を通知する信号を発信したとき、該緊急状態を通知する信号にＩＤ情報を重畳させ、前記打音発生装置は、緊急状態を通知する信号を受信した情報伝達装置の打音を緊急状態を通知する情報伝達装置を識別するＩＤ情報対応の打音パターンで発生させ、緊急状態を通知した情報伝達装置のＩＤ情報を表示する表示部を備えたことを特徴とする。
本発明による請求項１３記載の騒音環境下における作業者間情報伝達方法の発明は、各作業員のヘルメットにそれぞれ装着される情報伝達装置によって構成されるシステムの情報を伝達する方法であって、任意の情報伝達装置は加速度センサが衝撃を検知した場合、または、緊急スイッチが押された場合、緊急状態を通知する情報を発信し、他の情報伝達装置は前記緊急状態を通知する情報を受信したとき、情報伝達装置毎に打音発生装置でヘルメットに打音を発生させ、該打音のパターンは前記緊急状態を通知する情報伝達装置を識別するＩＤに対応の打音のパターンであり、かつマルチホッピング通信によりさらに他の情報伝達装置に中継を行い、前記ＩＤを表示可能にしたことを特徴とする。
【発明の効果】
【００１２】
上記構成によれば、ディジタル通信技術のＺｉｇＢｅｅ無線を利用することにより、混信に強く、複数の装置をマルチホップ機能で通信することで遠距離な通信を可能にすることができる。また、被災した作業員からの転倒により発生する緊急情報などで、他の作業員のヘルメットに打音を発生させ騒音環境下においても確実に通知することができる。
さらに、ＺｉｇＢｅｅにはＩＤ番号が割り当てることにより、送受信者を把握することが可能となるため、誰から非常信号（ＳＯＳ）が来たかを知ることができ、スマートフォンと接続できることでさらに機能を向上させることができる。
例えば、被災（ＳＯＳ発信）作業員Ａの緊急情報を、ＺｉｇＢｅｅ無線を介して作業員Ｂ，Ｃが受信しヘルメットを叩いて（トントン）通知し、スマートフォンの画面情報で作業員Ａが被災したことを把握でき、ＢまたはＣ作業員が早急にＡ作業員のところへ救護に向かうことができる。
【００１３】
本発明による情報伝達装置は、緊急信号（ＳＯＳ）発信者以外の作業者のヘルメットを叩いて知らせるユニークな方法で、ＺｉｇＢｅｅ無線を搭載して騒音環境下の作業者間の情報通信に大いに役立っている。さらにＢｌｕｅｔｏｏｔｈ無線を組み合わせたシステムを構築することにより、例えば若い林業従事者に普及しているスマートフォンと通信が容易にできることになる。それに森林作業に適したスマートフォンのアプリケーションを搭載することにより、本発明による森林作業現場における安全装置である情報伝達装置の機能と操作性を飛躍的に向上でき、安全を確保して効率的な作業に従事できる効果がある。
【００１４】
例えば、山林で電話機能が使用可能（携帯およびＷｉ−Ｆｉサービス圏内エリア）であれば、緊急情報（怪我）など事務所や所轄の関係機関との連絡が手動（自動も可）で可能なことにより、いち早く現場（怪我人など）の状態を連絡することができる。また森林作業の管理やコミュニケーションもより確実になり予防保全も可能となる。本発明によるシステムの導入後に新しいアプリケーションを提供することにより、林業の世界へ新たなコミュニケーションツールとして提案もでき、不足がちな人材の確保にも貢献できる効果がある。
電話サービスエリア以外（圏外）の時でも、スマートフォンの画面操作で本発明による情報伝達装置の機能を制御（表示や指示）することができる。
さらには情報伝達装置に追加機能として、ヘルメット内部に温度センサを搭載し、スマートフォンのアプリケーションをインストールすることにより温度変化を記録し高温（危険）状態になったら現場監督へ自動通知や作業者本人へ警告し、熱中症予防に役立てることができる。
【００１５】
本発明によるシステムの利用方法として被災（ＳＯＳ発信）作業者の情報をヘルメット間通信（ＺｉｇＢｅｅ通信）で行い携帯電話サービスエリア内にいる作業者のスマートフォンを使って外部へ手動（または自動）通信を行い緊急（救急要請）通知することも可能である。
所定のアプリケーションをインストールしておくことにより、以下のようなことが可能となる。
（１）スマートフォンとＢｌｕｅｔｏｏｔｈ無線で通信可能とした場合に、スマートフォンに搭載されたＧＰＳ全地球測位システム（「Ｇｌｏｂａｌ  Ｐｏｓｉｔｉｏｎｉｎｇ
Ｓｙｓｔｅｍ」）機能を利用して作業エリアの把握を行うことが可能となり、エリアから外れた場合の警告や、遭難や被災時の助けに利用することも可能である。
（２）作業後の日報（電子業務日誌）などの作成など補助資料として役立てることができる。
【００１６】
（３）携帯電話利用可能なエリア（圏内）であれば、緊急信号受信時に自動的に電話やメールで森林事務所などへ通知するアプリケーションをインストールしておくことにより、一人で山林作業する人（一人親方）でも安心して作業ができる。
（４）将来的にはＩＴを使って、森林ＧＩＳ（Ｇｅｏｇｒａｐｈｉｃ  Ｉｎｆｏｒｍａｔｉｏｎ  Ｓｙｓｔｅｍ  地理情報システム）を利用した林業アプリケーションも増えていく傾向にあり、本発明による情報伝達装置との組み合わせにより有効な利用方法となりうる。
（５）ヘルメット内部の温度計測や記録を行うアプリケーションをインストールすることにより、熱中症などの予防にもつなげることができる。これにより、熱中症予防ヘルメット付加装置としての本発明による情報伝達装置の販売が可能となる。
【図面の簡単な説明】
【００１７】
【図１】本発明による騒音環境下における作業者間情報伝達システムの実施の形態を示す図である。
【図２Ａ】本発明による作業者間情報伝達装置の外観を示す図であり、（ａ）は正面図、（ｂ）は左側面図、（ｃ）は平面図、（ｄ）は背面図を示している。
【図２Ｂ】ヘルメットに装着した情報伝達装置のＳＯＳ信号による打音を発生させる構造を説明するための部分断面図である。
【図３Ａ】本発明による作業者間情報伝達装置の回路の実施の形態を示す回路ブロック図である。
【図３Ｂ】情報伝達装置内に収容されるベース基板とＺｉｇＢｅｅ無線モジュールの組み立てを説明するための図である。
【図３Ｃ】ＺｉｇＢｅｅモジュールの回路構造を説明するための図である。
【図４Ａ】送信側となる作業者間情報伝達装置の処理および操作の流れを説明するためのフローチャートである。
【図４Ｂ】受信側となる作業者間情報伝達装置の処理および操作の流れを説明するためのフローチャートである。
【図５】作業者間情報伝達装置から発せられる信号に対する受信者への信号の伝達状況を説明するための図であり、（ａ）は、送信者が異常状態になった時の信号の送信状態を、（ｂ）は送信者からＳＯＳ信号を受信したときの受信側の受信状態を、（ｃ）は送信者を識別するための信号パターンの例を示している。
【図６】親機を中心とした情報伝達システムの一例を説明するための概略図である。
【図７】親機を中心とした情報伝達システムの他の例を説明するための概略図である。
【発明を実施するための形態】
【００１８】
以下、図面を参照して本発明の実施の形態を詳しく説明する。
図１は、本発明による騒音環境下における作業者間情報伝達システムの実施の形態を示す図である。
各森林作業員はヘルメットの後部にそれぞれ情報伝達装置を装着した状態でチェンソーを用いて伐採作業を行う。この例は作業員Ａ，Ｂ，Ｃのヘルメット２ａ，２ｂ，２ｃが描かれており、他の作業員の記載は省略してある。作業員ＡとＢは情報伝達装置の通信可能の位置関係にあり、作業員ＢとＣも通信可能距離にあり、作業員ＡとＣとでは距離が大きすぎるため通信不能な位置関係になっている状態が示されている。通信機は例えば出力１０ｍＷのＺｉｇＢｅｅの無線モジュールが用いられている。
作業員Ａ，Ｂ，Ｃを含む多数の作業員は、グループを組んでおり、各情報伝達装置にそれぞれの作業員を識別するためのＩＤ情報が設定されている。作業員Ａ，Ｂ，Ｃはそれぞれスマートフォン（携帯電話も含む）３ａ，３ｂ，３ｃを所持しており、情報伝達装置はＢｌｕｅｔｏｏｔｈ無線モジュールが具備されているため、スマートフォンと情報伝達装置の間はＢｌｕｅｔｏｏｔｈ通信により情報の送受信を行うことができる。例えば、スマートフォンから情報を入力して各情報伝達装置を操作したり、情報伝達装置が受信した出力をスマートフォンが受けて表示し、出力に対応する動作が可能である。
【００１９】
また、情報伝達装置には電源をオンオフする電源スイッチ，緊急情報であるＳＯＳ信号をオン（発信）するためのＳＯＳスイッチ（長押しによりＳＯＳ信号を解除する機能も有する），ＩＤ情報を設定したり、自らのＩＤ情報を確認するために操作するＩＤスイッチが具備されている。また、ＩＤ情報（番号で表示）を確認できる表示部および緊急情報を発したとき鳴動するブザーを備えている。
ここで作業員Ａが伐採中に被災し、大きな衝撃を受けたとすると、作業員Ａの情報伝達装置１０ａは外部ダイポールアンテナを介して周辺に緊急情報を発信する。これとともにブザーも鳴動し周囲に緊急状態が発生したことを知らせることができる。
作業員Ｂの情報伝達装置１０ｂはこの緊急情報を受信し、情報伝達装置１０ｂに内蔵されている打音装置によってヘルメットが叩かれる。作業員Ｂはチェンソーで伐採中で大きな音や振動を受けていたとしても、ヘルメットを叩く音を認識することができる。ヘルメットを叩くパターンは各作業員を特定するＩＤ情報に対応付けられているため、モールス信号に類似するパターンの打音となる。
【００２０】
例えば、作業員Ａを識別するＩＤ情報に対し、トン，トン，○，○，トン，トン，○，○・・・であれば、作業員Ｂは作業員Ａからの緊急情報であると認識することができる。また、情報伝達装置１０ｂの表示部にも作業員ＡのＩＤ情報（例えば、「０１」）が表示されるため、視覚によっても確認することもできる。さらに、自らが所持しているスマートフォン３ｂに表示させることも可能である。
情報伝達装置１０ｂが受信した緊急情報は、情報伝達装置１０ｂによって中継され、作業員Ｃの情報伝達装置１０ｃにも電波は到達する。作業員Ａから見た作業員Ｃのいる位置は作業員Ａから電波が届く範囲外（圏外）である。しかしながらマルチホッピング通信（ＺｉｇＢｅｅ通信）によって圏外の作業員Ｃにも同様な緊急情報を送ることができる。
作業員Ｃの居るところがＷｉ−Ｆｉ通信が可能の位置または携帯電話サービスエリアであれば、スマートフォン３ｃによって森林管理本部や消防などに連絡することができる。
【００２１】
図２Ａは、本発明による作業者間情報伝達装置の外観を示す図である。
情報伝達装置の装置筐体９は略方形の形状であり、側面上部に外部ダイポールアンテナ１９が取り付けられており、アンテナは様々な方向にその向きを変えることができる。使用される搬送波は、例えば９２０ＭＨｚ帯域が用いられる。１ＧＨｚや２ＧＨｚ帯域（例えば２．４ＧＨｚ帯域）を用いることも可能である。装置筐体９の背面にはプッシュピン２２が突出している。このプッシュピン２２は緊急情報を受信したとき、装置筐体９内に収容されているソレノイドのアクチュエータ機構によって前後運動を繰り返すプッシュピンの先端部分である。装置筐体９の前面側には、ＬＣＤで構成されるＩＤナンバ表示部１５，ＰＯＷＥＲ表示部１６が付設される電源スイッチ１２，自らのＩＤや、緊急情報により送信されてきた他の作業員のＩＤを確認するためのＩＤ確認スイッチ１３，手動で緊急情報を発したりＳＯＳ信号をキャンセルするためのＳＯＳ，ＳＯＳキャンセルスイッチ１４が設けられている。さらに電池残量表示部１７，通信ＯＫ／ＮＧ表示部１８も設けられている。
【００２２】
内部にはブザーが具備され、該ブザー音が外に発せられ、背面にはヘルメットに装着するための取付部（図示されていない）も備えている。
【００２３】
図２Ｂはヘルメットに装着した情報伝達装置のＳＯＳ信号による打音を発生させる構造を説明するための部分断面図である。
ヘルメット２の後部には情報伝達装置の取付部によって装脱着できる装脱着部（図示されていない）を備えている。図２Ｂは情報伝達装置の装置筐体９がヘルメット２に装着された状態を示している。装着された状態ではヘルメット２の後部部分面に対しプッシュピン２２の先端部が対向した状態となっている。ソレノイド・ハンマ２１が駆動すると、プッシュピンは送信されてきた作業員のＩＤ対応のパターンによる前後移動を繰り返しヘルメット２にトントン・・の打音を響き渡らせる。
【００２４】
図３Ａは本発明による作業者間情報伝達装置の回路の実施の形態を示す回路ブロック図である。本図は、メイン基板回路，送受信装置および周辺回路部品を示している。
ＭＰＵは、駆動回路２６，表示駆動回路２７，振動レベル判定回路２８，タイマ２９，温度レベル判定回路３１および電源制御回路２５の機能を有している。
駆動回路２６はＭＰＵからの駆動制御信号によりソレノイド・ハンマ２１およびブザー２４を駆動する。表示駆動回路２７は、自らのＩＤ番号表示，ＨＬＰ（送信されてきた緊急情報のＩＤ）番号表示および温度表示も行うことができるＩＤナンバ表示部１５，さらに相互の通信状況を表示するための通信ＯＫ／ＮＧ表示部１８ならびにバッテリー２３の電池残量を示す電池残量表示部１７をそれぞれ駆動し表示させる。
【００２５】
振動レベル判定回路２８はディジタル・加速度センサ３７からの衝撃や振動の出力を受けて振動のレベルを判定する。
温度レベル判定回路３１はヘルメット内部に設置されたヘルメット内部温度センサ３９からの温度情報を受けてその温度レベルを判定する。例えば、比較のための設定温度が５０°Ｃに設定されていれば、温度が５０°Ｃ以上に上昇したとき警報のための温度警報信号を出力する。
電源制御回路２５はバッテリー２３からの電源電圧を受けて各回路部に印加する電圧を制御する。
【００２６】
２．４ＧＨｚまたは９２０ＭＨｚ帯域のＺｉｇＢｅｅモジュール３５は、送受信装置を構成し、搬送波を送受信するための高周波回路３６および受信／送信回路３４を備えている。送受信装置はシリアルＩＦ３３によってＭＰＵに接続されている。また、シリアルＩＦ３３には２．４ＧＨｚのＢｌｕｅｔｏｏｔｈモジュール３２が接続されている。Ｂｌｕｅｔｏｏｔｈモジュール３２はスマートフォンが備えるＢｌｕｅｔｏｏｔｈモジュールと通信し、信号の授受を行うことができる。
【００２７】
図３Ｂは、情報伝達装置内に収容されるベース基板とＺｉｇＢｅｅ無線モジュールの組み立てを説明するための図である。
ベース基板３０の上にＺｉｇＢｅｅモジュール３５が搭載される。ＺｉｇＢｅｅモジュール３５はマルチホッピング通信を行うための送信部と受信部を持ち、例えば緊急情報およびＩＤ情報を含む情報や温度警報のための温度警報情報およびＩＤ情報を含む情報で変調された搬送波の送受信を行う。
ベース基板３０には３軸ジャイロ（加速度センサ），アナログＡＭＰ（ヘルメット内部温度センサ入力），圧電ブザードライバ，ソレノイドドライバ，その他の出力ポート（オープンコレクタ、またはリレー接点）が搭載されている。さらにＬＥＤ，入力ポート（ＳＯＳ，ＳＯＳキャンセルなどのスイッチ入力）が搭載されている。
【００２８】
図３Ｃは、ＺｉｇＢｅｅモジュールの回路構造を説明するための図である。
ＺｉｇＢｅｅモジュール３５は外部ダイポールアンテナ１９（図３Ａ参照）に接続するための外部アンテナコネクタ４３を備えている。高周波回路３６および受信／送信回路３４を構成するパワーアンプ４５，無線回路４６，マイコン４７，メモリ部４８および周辺回路４９を有している。接続コネクタ４４は図３Ａに示すシリアルＩＦ３３の部分に接続され、ＭＰＵ側から電源が供給され、シリアル入力，ディジタル入力，アナログ入力，パルス入力に接続する部分である。
【００２９】
図４Ａは送信側となる作業者間情報伝達装置の処理および操作の流れを説明するためのフローチャートである。
電源スイッチ１２を押すことにより電源が投入されると、電源制御回路２５は各回路部にそれぞれ対応の電圧を供給する。
ＩＤ確認スイッチ１３を所要の操作をすることにより、その作業員が持つ情報伝達装置のＩＤを設定変更することが可能である。ＩＤの設定情報は例えばＩＤ番号が「０１」「０２」・・・などである。設定された自らの番号を確認する方法は例えばＩＤ確認スイッチ１３を長押しすることによりＩＤナンバ表示部１５に表示することができる。
【００３０】
電源投入により作業者間情報伝達装置が起動されると、ＭＰＵはディジタル・加速度センサ３７からの出力の監視を開始する（ステップ（以下「Ｓ」という）０１）。
作業員が通常の作業をする動作では、ディジタル・加速度センサ３７からは異常状態であることを示す異常の衝撃の値は検出されない。しかしながら、倒木や枝落ちによる打撲を受けたときや滑落などにより急な体の変動が発生すると、ディジタル・加速度センサ３７からは大きな加速度の値が検知される。振動レベル判定回路２８は、ディジタル・加速度センサ３７からの出力を監視し、衝撃値を検知しないかぎり、その監視動作を維持する（Ｓ０２）。衝撃値の検知があった場合、その値は１Ｇ以上の衝撃か、２Ｇ以上の衝撃か、または１Ｇ以上であって２Ｇより小さい衝撃かを判定する（Ｓ０３）。１Ｇ未満の衝撃であれば、ノイズレベルとして監視を継続する。２Ｇ以上の衝撃であれば、ただちに、ＺｉｇＢｅｅ無線を起動し、ＳＯＳ信号を発信し、ＩＤ番号を送信する動作に移行する（Ｓ０７）。この緊急情報を受信した他の作業員の情報伝達装置のヘルメットは打音されるとともに緊急情報を発した作業員を打音パターンで識別でき、さらにＩＤ情報も表示される。
【００３１】
１Ｇ以上２Ｇ未満の衝撃の場合は、タイマ２９を起動し、５分の時間の経過を待つ（Ｓ０４）。５分経過の後、振動レベル判定回路２８は、さらに１Ｇ未満の振動を検出したかを監視する（Ｓ０５）。これは、作業員が大きな衝撃を受けたにも関わらず、動いていて無事であることを確認する動作である。振動を検出した場合には、緊急情報を送る必要がないとして元の監視状態に戻る。振動を検出しない（動きを検出できない）場合は、ＺｉｇＢｅｅ無線を起動し、ＳＯＳ信号を発信し、ＩＤ番号を送信する動作に移行する（Ｓ０７）。これとともにＭＰＵは駆動回路２６を起動してブザー２４を鳴動させる（Ｓ０８）。これにより他の作業員に対し異常状態を知らせるともに異常状態となった作業員の周囲にその異常状態を知らせることができる。
さらにＢｌｕｅｔｏｏｔｈモジュールが起動し（Ｓ０９）、スマートフォンのＢｌｕｅｔｏｏｔｈモジュールが緊急状態を表す情報を受信し（Ｓ１０）、スマートフォンのアプリケーションが起動し表示部に緊急状態を表す表示がなされる。同時に音などを発することもできる。
【００３２】
この実施の形態では衝撃の値が１Ｇ以上になった場合、作業員に異常が発生したと考えて設定されたものである。したがって、その値は１Ｇより大きな値または小さい値であっても良く、他のレベル値に変更することが可能である。また、２Ｇ以上の衝撃で、異常状態の緊急情報を送るように設定しているが、この値のレベルを変更することも可能である。例えば、変更可能なレベル値は１Ｇ前後〜８Ｇのレベル値を選ぶことが可能である。
【００３３】
この実施の形態は、情報伝達装置が自動で異常状態を検知する例であるが、作業員自らがＳＯＳスイッチを押してＺｉｇＢｅｅ無線を起動し、ＳＯＳ信号を発信し、ＩＤ番号を送信する動作に移行する（Ｓ０７）ことも可能である。異常な衝撃が加わらずとも身体に怪我などをして、作業員自身意識がある場合、助けを呼ぶときに有効である。
また、温度レベル判定回路３１はヘルメット内部に設けたヘルメット内部温度センサ３９の出力が５０°Ｃ以上になったか否かを監視しており（Ｓ０６）、５０°Ｃ以上の温度になった場合には、上記と同様にＺｉｇＢｅｅ無線を起動し、ＳＯＳ信号を発信し、ＩＤ番号を送信する動作に移行する（Ｓ０７）。温度はその作業員のＩＤナンバ表示部１５に表示することができる。また、緊急情報を受信した作業員のＩＤナンバ表示部１５に表示することも可能である。かかる場合には温度情報もＺｉｇＢｅｅ無線に送ることができる。なお、ヘルメット内部温度センサ３９の検出する温度設定は変更することが可能である。
【００３４】
図４Ｂは受信側となる作業者間情報伝達装置の処理および操作の流れを説明するためのフローチャートである。
マルチホッピング通信により異常状態にある作業員からＳＯＳ信号（緊急情報）が送られてくると、マルチホッピング通信の圏内にいる作業員の作業者間情報伝達装置によってその信号が受信される（Ｓ２１）。その情報は高周波回路３６，受信／送信回路３４よりなる通信装置（ＺｉｇＢｅｅモジュール３５）により受信され、ＳＯＳ信号およびＩＤ番号を含む信号がＭＰＵに入力される。受信した作業員の作業者間情報伝達装置はＩＤ番号情報を確認するとともに送られてきた信号が緊急情報であるのか、通常の通信であるかを判定し（Ｓ２２）、緊急情報である場合、Ｓ２３，Ｓ２４に移行する。Ｓ２３では、ＭＰＵは表示駆動回路２７を駆動してＩＤナンバ表示部１５に被災者のＩＤ番号を表示する。なお、温度情報が送られてきた場合には温度が表示される。
【００３５】
そして、Ｓ２４で駆動回路２６を駆動し、ソレノイド・ハンマ２１を打音動作させ、かつ、ブザー２４を鳴動させる。ソレノイド・ハンマ２１の繰り返し打音は作業員ＩＤ対応のパターンで行われ、これにより受信した作業員は被災した作業員を識別することができる。また、チェンソーや草刈りでの大きなエンジン騒音があったとしても、ヘルメットを叩く音を認識することが可能である。
緊急情報の受信によりＢｌｕｅｔｏｏｔｈモジュール３２も起動し（Ｓ２５）、受信した作業員のスマートフォンにもその情報が表示される（Ｓ２６）。
【００３６】
図５は作業者間情報伝達装置から発せられる信号に対する受信者への信号の伝達状況を説明するための図であり、（ａ）は、送信者が異常状態になった時の信号の送信状態を、（ｂ）は送信者からＳＯＳ信号を受信したときの受信側の受信状態を、（ｃ）は送信者を識別するための信号パターンの例をそれぞれ示している。
（ａ）において、被災者（送信者）は通常の動作で作業をしており、正常状態である。作業中に転倒すると、そのときの衝撃が１Ｇ以上２Ｇ未満では、ＳＯＳ信号を発するか否かの判定が行われる。例えば５分以内に作業員が動いていることを示す振動を検出すれば、転倒した作業員は復帰できたと判断してＳＯＳ信号を発することはない。しかしながら、５分以上経過しても作業員が動いていることを示す振動を検出できなければ、他の作業員に向けてＳＯＳ信号を発信する。
【００３７】
（ｂ）において、被災者（送信者）からＳＯＳ信号が送られてくると、そのＳＯＳ信号を受信した作業員間情報伝達装置のブザーは例えば０．５秒間隔で鳴動し、同時にヘルメットを叩く打音が発生する。なお、誤ってＳＯＳスイッチを押した時や誤動作した時は、例えば２分以内にＳＯＳスイッチを長押しすることにより、キャンセルすることが可能である。
（ｃ）は、３名の作業員を識別するパターンの例である。ＩＤ−１は、２回打音し、２回分の打音を休止し、２回打音し、２回分の打音を休止するというパターンであり、これにより作業員を特定することができる。ＩＤ−２は、３回打音し、３回分の打音を休止し、３回打音し、３回分の打音を休止するというパターンであり、これにより他の作業員を特定することができる。ＩＤ−３は、４回打音し、４回分の打音を休止し、４回打音し、４回分の打音を休止するというパターンであり、さらに他の作業員を特定することができる。パターンは、最初の打音回数を少なく、時間が経つにつれて打音回数を大きくすることや、その反対のパターンにして認識する種類を増加することができる。ヘルメットを叩くパターンは上記方法だけでなく、種々の方法を用いることができる。
【００３８】
図６は親機を中心とした情報伝達システムの一例を説明するための概略図である。
この例は、親機を作業中心になる場所に設置し、子機から親機に直接、緊急情報を送信し、さらに他の作業員に緊急情報を送信する複数の子機よりなるシステムである。
各子機はそれぞれヘルメット４０ａ，４０ｂおよび４０ｃを被る作業員Ａ，ＢおよびＣに装着される情報伝達装置５０ａ，５０ｂおよび５０ｃによりグループが形成されている。作業員Ａ，ＢおよびＣは親機５１のサービスエリア内を移動することを原則としており、ＺｉｇＢｅｅモジュールによってマルチホッピング通信が行われる。作業員Ａ，ＢおよびＣが装着する各情報伝達装置５０ａ，５０ｂおよび５０ｃは図３Ａで示す構造を有している。
【００３９】
親機５１は木に固定されており、機能は各情報伝達装置と同じ構造を備えているが、緊急情報を受信した場合、打音発生装置は備えていない。なお、ヘルメットに代わる剛体を叩く打音を発生させることもできる。親機５１はタワー形警告表示灯４２を有しており、タワー形警告表示灯４２は赤，青，黄色の各カラー色を発して回転する３つの３層回転灯より構成されている。各色は、各作業員のＩＤに対応するものであり、各作業員から発せられた緊急情報とともに送られるＩＤ情報に対応してそれぞれ独立して回転点灯する。親機５１からは緊急情報受信に伴い、スピーカ４１より音や音声を発生させることができる。
図６の状態は、作業員Ｃが転倒して怪我をしたとき、緊急情報が送信され、親機５１はこれを受信し、作業員ＣのＩＤ対応の回転灯を回転させるとともにスピーカ４１が緊急状態が発生した音声や音を出力している。そして、その緊急情報は親機５１で中継され、作業員Ａ，作業員Ｂにも送信され、作業員Ａ，Ｂの情報伝達装置はヘルメットを叩く打音を発生させ、ブザーを鳴動させる。
【００４０】
図７は親機を中心とした情報伝達システムの他の例を説明するための概略図である。
この例は、親機を作業中心になる場所に設置し、子機から親機に直接、緊急情報を送信し、他の作業員に緊急情報を送信する複数の子機よりなり、さらに親機と子機間で例えば５分（設定可能）に１回の通信を確認する機能を備えている。
各子機はそれぞれヘルメット６０ａ，６０ｂおよび６０ｃを被る作業員Ａ，ＢおよびＣに装着される情報伝達装置７０ａ，７０ｂおよび７０ｃによりグループが形成されている。ＺｉｇＢｅｅモジュールによってマルチホッピング通信が行われ、作業員Ａ，ＢおよびＣが装着する各情報伝達装置７０ａ，７０ｂおよび７０ｃが図３Ａで示す構造を有しているのは図６と同じである。
【００４１】
親機５２は各子機に対し、５分経過するごとに１回の通信確認を行う。親機は無事を確認するための情報を送信すると、無事を確認するための情報が作業員Ａ，ＢおよびＣに送られる。情報伝達装置７０ａ，７０ｂおよび７０ｃは作業員Ａ，ＢおよびＣの無事を確認するための親機からの通信であると認識することができる。また、表示部にも無事を確認するための情報送信であることを示す表示がなされる。各情報伝達装置は、自らのＩＤ情報とともに無事である旨の情報を親機に送信する（所定時間毎に加速度センサが振動を検出して無事か否かを情報伝達装置は判定できる）。この例は作業員Ｂ，Ｃが無事であり、無事である旨の情報を親機に送っているが、作業員Ａからは無事である旨の情報が送られていない。
【００４２】
親機５２は作業員Ａからの無事である旨の情報を受けることができない場合、作業員Ａを示すＩＤ情報と緊急情報を発信する。他の作業員ＢおよびＣの情報伝達装置７０ｂおよび７０ｃは作業員Ａを特定するパターンの打音を発生させるとともにその表示部には作業員Ａを示すＩＤ情報が表示される。
このシステムの例は無事を確認するための情報を情報伝達装置が検知し、自動的に親機に返信するものであるが、作業員が無事を確認するための情報を受けたとき、手動で無事である旨の情報を送信するように構成することもできる。かかる場合、無事を確認するための情報により無事確認の打音パターンを発生させることが各作業者に安否確認を確実に知らせることができる。
【００４３】
以上の実施の形態に対し種々の変形を施すことが可能である。
実施の形態ではヘルメットを叩いて打音を発生させる例を示しているが、叩かれる対象をヘルメットではなく、他の形状物を頭部分だけでなく身体の他の部分に装着して、その形状物を打音して作業者に認識させることも可能である。また、打音装置としてソレノイド・ハンマを用いた例を示したが、磁気により力を発生させるソレノイド・ハンマではなく、他の電気的動作により対象物を叩くこともできる。
ヘルメットの後部に情報伝達装置を装着する例を示しているが、後部に限る必要はなく、側部，前部または上部に取り付けることも可能である。ヘルメットに凹部を設けてその部分に装着することも可能である。
携帯端末としてスマートフォンを対象としているが、携帯電話機，携帯ゲーム機などでスマートフォンと同じ機能を実現することも可能である。
情報伝達装置の形状は矩形状の例を示しているが、ヘルメットに適切に装着するためには矩形状とは異なる形状で、筐体自体が曲面を有する形状であっても良い。
さらに情報伝達装置の各表示部，スイッチ類を筐体の前部に配置した例を説明したが、操作するに適正な位置，表示を確認するのに適切な位置であれば、筐体の側面，上部などに配置しても良い。
【産業上の利用可能性】
【００４４】
林業や騒音環境下作業（砕石現場，金属加工工場，造船建設現場，船上甲板作業など）に用いられる作業者間情報伝達システムおよび装置である。
【符号の説明】
【００４５】
２，２ａ，２ｂ，２ｃ，４０ａ，４０ｂ，４０ｃ，６０ａ，６０ｂ，６０ｃ  ヘルメット
３ａ，３ｂ，３ｃ  スマートフォン
９  装置筐体
１０ａ，１０ｂ，１０ｃ，５０ａ，５０ｂ，５０ｃ，７０ａ，７０ｂ，７０ｃ  情報伝達装置
１１  基地局
１２  電源スイッチ
１３  ＩＤ確認スイッチ
１４  ＳＯＳ，ＳＯＳキャンセルスイッチ
１５  ＩＤナンバ表示部（ＬＣＤ）
１６  ＰＯＷＥＲ表示部（ＬＥＤ）
１７  電池残量表示部
１８  通信ＯＫ／ＮＧ表示部
１９  外部ダイポールアンテナ
２１  ソレノイド・ハンマ
２２  プッシュピン
２３  バッテリー
２４  ブザー
２５  電源制御回路
２６  駆動回路
２７  表示駆動回路
２８  振動レベル判定回路
２９  タイマ
３０  ベース基板  
３１  温度レベル判定回路
３２  Ｂｌｕｅｔｏｏｔｈモジュール
３３  シリアルＩＦ
３４  受信／送信回路
３５  ＺｉｇＢｅｅモジュール
３６  高周波回路
３７  ディジタル・加速度センサ
３９  ヘルメット内部温度センサ
４１，６１  スピーカ
４２，５３  タワー形警告表示灯
４３  外部アンテナコネクタ
４４  接続コネクタ
４５  パワーアンプ
４６  無線回路
４７  マイコン
４８  メモリ部
４９  周辺回路
５１，５２  親機
【図２Ａ】
2014153876.tif 000003
【図２Ｂ】
2014153876.tif 000004
【図３Ａ】
2014153876.tif 000005
【図３Ｂ】
2014153876.tif 000006
【図３Ｃ】
2014153876.tif 000007
【図４Ａ】
2014153876.tif 000008
【図４Ｂ】
2014153876.tif 000009
【図１】
2014153876.tif 000010
【図５】
2014153876.tif 000011
【図６】
2014153876.tif 000012
【図７】
2014153876.tif 000013